(57)【特許請求の範囲】
【請求項１】
クラブヘッドが取付けられる先端領域と、グリップが取付けられる後端領域と、先端領域と後端領域の間の中間領域とをそれぞれが有し、番手が大きくなるに従って長さが順次短くなるゴルフクラブセットに用いるゴルフクラブ用シャフトセットであって、各シャフトの中間領域で、それぞれのシャフトの先端から等しい位置に曲げ剛性値が最小となる最小曲げ剛性部を配置し、この最小曲げ剛性部から先端及び後端に向かって曲げ剛性を大きく形成し、各シャフトの先端領域の長さ及び曲げ剛性値をシャフトセット内で等しく、かつ、番手が大きくなるに従って中間領域の曲げ剛性値を大きく形成し、各シャフトの先端領域の終端から最小曲げ剛性部までの曲げ剛性の変化を番手が小さくなるに従って大きくしたことを特徴とするゴルフクラブ用シャフトセット。
【請求項２】
前記先端領域の長さが、クラブヘッドを取付けるヘッド取付け領域の長さの２倍以上である請求項１に記載のゴルフクラブ用シャフトセット。
【請求項３】
セット内のクラブを、ロングクラブとミドルクラブとショートクラブとの群に区分したときに、各群のクラブのシャフトの中間領域における各位置の曲げ剛性値を番手が大きくなるに従って等間隔で大きく形成した請求項１又は２に記載のゴルフクラブ用シャフトセット。
【請求項４】
最も番手の小さいクラブのシャフトの最小曲げ剛性部から先端まで曲げ剛性値を直線状又は曲線状に滑らかに変化させて形成し、このシャフトの最小曲げ剛性部から先端までの曲げ剛性の変化を基準として、番手の大きいクラブのシャフトの中間領域の曲げ剛性値を大きく形成した請求項１から３のいずれか１つに記載のゴルフクラブ用シャフトセット。
【発明の詳細な説明】
【技術分野】
【０００１】
本発明は、ゴルフクラブ用シャフトセットに関し、特に、クラブヘッドが取付けられる先端領域と、グリップが取付けられる後端領域と、先端部と後端部の間の中間領域とを有し、番手が大きくなるに従ってシャフトが順次短くなるゴルフクラブセットに用いるゴルフクラブ用シャフトセットに関する。
【背景技術】
【０００２】
一般に、ゴルフクラブセットは、ゴルフボールを遠くまで飛ばす飛距離を主目的としたクラブから、ゴルフボールの飛距離及び方向の正確性を主目的としたクラブまで、番手の異なる複数のクラブから構成されており、状況に応じて適宜のクラブを使い分けつつプレーする。番手が大きくなるにつれて、ロフトすなわちクラブフェースの傾斜角度が大きく、シャフトの長さが短くなる。
【０００３】
通常、このようなゴルフクラブセットを形成するクラブのシャフトは、長いテーパ状のシャフトの先端を、番手が大きくなるにつれて順に切り詰めて形成し、シャフトの撓りによる復元力を飛距離の増大に利用する低番手のゴルフクラブに対して、番手の大きくなるほどシャフトの全体的な曲げ剛性を高くし、打球方向の精度を高めることができるようになっている。クラブセットを形成する各クラブの曲げ剛性は一定範囲に収められるが、番手の大きくなる程、先端部の曲げ剛性が大きくなる。
【０００４】
そして、クラブヘッドに取り付ける先端側の最も小さな曲げ剛性値をセット内の各クラブ毎に同じ範囲に形成し、グリップ側の一定範囲内における曲げ剛性を番手が大きくなる程大きく形成することにより、番手の大きなクラブでもシャフトの撓りを利用して、飛距離を向上させ、セット内における各クラブ毎の打球のタイミングや打球位置を一定とし、番手が大きくなる程方向性を向上させることができるようにしたゴルフクラブセットのためのシャフトセットが開発されている（例えば特許文献１参照）。
【先行技術文献】
【特許文献】
【０００５】
【特許文献１】特開２０００−２７９５５８号公報
【発明の概要】
【発明が解決しようとする課題】
【０００６】
しかし、このシャフトセットは、打球のタイミングや打球位置を一定とすることが可能であるとしても、クラブヘッドを取り付ける側の曲げ剛性がシャフトの先端側に向けて次第に小さくなるため、打球時にクラブヘッドがぶれ易く、打球の方向が制御し難くなる虞がある。また、シャフトのグリップ側の一定範囲で曲げ剛性の変化の小さい領域が形成され、各シャフトの先端側の曲げ剛性値の小さい範囲からグリップ側に向けて曲げ剛性が変化する位置が、番手が大きくなるにつれてグリップ側に移行するため、先端側の曲げ剛性値の概略同じ範囲の長さが番手の大きなシャフト程長く形成されることになる。このため、先端側の撓りがセット内のクラブ毎に異なり、番手の異なるクラブ間でスイングに違和感を生じさせることになり、番手毎のスイング調整が必要で、フィーリングに相違が生じる虞がある。
【０００７】
本発明は、このような事情に基づいてなされたもので、同じセット内にあるクラブの各番手に要求される飛距離、方向性等の機能を満たすと共に、番手毎に近似した良好な打球フィーリングが得られるゴルフクラブ用シャフトセットを提供することを目的とする。
【課題を解決するための手段】
【０００８】
上記目的を達成するため、本発明によると、クラブヘッドが取付けられる先端領域と、グリップが取付けられる後端領域と、先端領域と後端領域の間の中間領域とをそれぞれが有し、番手が大きくなるに従って長さが順次短くなるゴルフクラブセットに用いるゴルフクラブ用シャフトセットであって、各シャフトの中間領域で、それぞれのシャフトの先端から等しい位置に曲げ剛性値が最小となる最小曲げ剛性部を配置し、この最小曲げ剛性部から先端及び後端に向かって曲げ剛性を大きく形成し、各シャフトの先端領域の長さ及び曲げ剛性値をシャフトセット内で等しく、かつ、番手が大きくなるに従って中間領域の曲げ剛性値を大きく形成し、各シャフトの先端領域の終端から最小曲げ剛性部までの曲げ剛性の変化を番手が小さくなるに従って大きくしたシャフトセットが提供される。
【０００９】
前記先端領域の長さが、クラブヘッドを取付けるヘッド取付け領域の長さの２倍以上であることが好ましい。
【００１０】
また、セット内のクラブを、ロングクラブとミドルクラブとショートクラブとの群に区分したときに、各群のクラブのシャフトの中間領域における各位置の曲げ剛性値を番手が大きくなるに従って等間隔で大きく形成することもできる。
【００１１】
最も番手の小さいクラブのシャフトの最小曲げ剛性部から先端まで曲げ剛性値を直線状又は曲線状に滑らかに変化させて形成し、このシャフトの最小曲げ剛性部から先端までの曲げ剛性の変化を基準として、番手の大きいクラブのシャフトの中間領域の曲げ剛性値を大きく形成することが好ましい。
【発明の効果】
【００１２】
本発明のゴルフクラブ用シャフトセットによると、シャフトセット内の各シャフトが中間領域で、それぞれのシャフトの先端から等しい位置に曲げ剛性値が最小となる最小曲げ剛性部を配置され、この最小曲げ剛性部から先端及び後端に向かって曲げ剛性を大きく形成され、各シャフトの先端領域の長さ及び曲げ剛性値をシャフトセット内で等しく、かつ、番手が大きくなるに従って中間領域の曲げ剛性値を大きく形成し、各シャフトの先端領域の終端から最小曲げ剛性部までの曲げ剛性の変化を番手が小さくなるに従って大きくしたことにより、シャフトにしっかり感を持たせて操作し易く、スイングの際及び打球時の先端側の撓りが番手の異なるクラブ間で近似させることができ、中間領域でスイングコントロールしても、クラブヘッドの挙動が近似し、同じセット内にあるクラブの各番手に要求される飛距離、方向性等の機能を満たすと共に、番手毎に近似した良好な打球フィーリングを得ることができる。
【００１３】
先端領域の長さを、クラブヘッドを取付けるヘッド取付け領域の長さの２倍以上に形成する場合には、先端領域を十分に撓らせることができ、打球の飛距離を向上させることができる。
【００１４】
また、セット内のクラブを、ロングクラブとミドルクラブとショートクラブとの群に区分したときに、各群のクラブのシャフトの中間領域における各位置の曲げ剛性値を番手が大きくなるに従って等間隔で大きく形成する場合には、各群のクラブ毎に要求される機能が得られ、それぞれの郡内のクラブにより良好なフィーリングが得られる。
【００１５】
最も番手の小さいクラブのシャフトの最小曲げ剛性部から先端まで曲げ剛性値を滑らかに変化させて形成し、このシャフトの最小曲げ剛性部から先端までの曲げ剛性の変化を基準として、番手の大きいクラブのシャフトの中間領域の曲げ剛性値を大きく形成する場合には、番手が大きいクラブのシャフトの先端領域の曲げ剛性を番手が小さいクラブの先端領域の曲げ剛性と一致させることで、打球が上がり易く、打球の飛距離の向上を図ることができる。
【図面の簡単な説明】
【００１６】
【図１】本発明の実施形態によるシャフトセットを用いたゴルフクラブセットのクラブの説明。
【図２】各シャフトの先端からの長さ（横軸）に対する曲げ剛性値（縦軸）の変化を例示するグラフ図。
【図３】各シャフトを形成するプリプレグの配置例を示す説明図。
【発明を実施するための形態】
【００１７】
図１は、本発明の実施形態によるシャフトセットを用いた複数本のクラブからなるゴルフクラブセットの内の１本のアイアンクラブ１０を示す。このクラブ１０は、シャフト１２の先端をクラブヘッド１４のホーゼル１６に取付け、天然ゴムあるいは合成ゴム等の柔軟性や軟質材料で形成したグリップ１８を後端部に取付けてある。このクラブ１０は、番手が大きくなるにつれて、クラブヘッド１４のフェース１４ａに付されたロフト角αが大きく形成され、シャフト１２の長さは短くなる。なお、ロフト角αは、例えばボールを置く地面等の基準水平面Ｂに垂直な面に対するフェース１４ａの角度であり、ロフト角αが大きくなる程、打球が高く上がり、飛距離は短くなる。
【００１８】
このようなゴルフクラブセットを形成するクラブは、クラブヘッドの形式や用途に応じて種々の群に区分することが可能であるが、シャフト１の全長寸法にしたがって、シャフト１２の長さが例えば９８９〜９５１ｍｍの１番から４番のロングクラブと、例えば９３８から９１２ｍｍの５番から７番のミドルクラブと、例えば９００〜８７４ｍｍの８番から１０番のショートクラブとの複数の群に区分することができる。
【００１９】
このようなクラブ１０を形成するシャフト１２は、クラブヘッド１４が取付けられる先端部に向けて全体的に外径を縮径させた先細状に形成してある。このシャフト１２は、全長のほぼ２０〜３０％程度の長さにわたる軸方向前方部位の先端領域Ｆと、全長のほぼ２５〜３０％の範囲で２００〜２５０ｍｍ程度の長さが好ましい後方部位の後端領域Ｒと、全長のほぼ３５〜４５％の範囲で３００〜４００ｍｍ程度の長さが好ましい中間領域Ｍとを有し、先端領域Ｆの先端部の約３０〜５０ｍｍ程度のヘッド取付領域ｈがクラブヘッド１４のホーゼル１６内に挿入され、このクラブヘッド１４に一体的に固定される。ヘッド取付領域ｈの長さをこのように設定するのは、ホーゼル１６内に挿入されるシャフトの長さが短すぎると、クラブヘッド１４との固定力が小さくなり、長すぎると、クラブ１０のシャフト有効長が短くなるためである。
【００２０】
また、後部領域Ｒは、その全体がグリップ１８内に収容され、中間領域Ｍも、その後部領域Ｒに隣接する一部がグリップ１８内に収容される。このグリップ１８内には、シャフト１２の外径が変化する部位を配置することにより、グリップ１８から突出する部位が滑らかなテーパ状の外観をなし、構えたときに、外径の変化による違和感を生じさせることがない。なお、滑らかなテーパ状とは、目視により判別できる程度の段部又は凹凸状の外形が形成されないことをいう。
【００２１】
図２は、このようなシャフトセットを形成する種々の番手に対応したシャフト１２の軸方向に沿う先端領域Ｆ、中間領域Ｍ及び後部領域Ｒにおける曲げ剛性値の変化を示す。この図２では、明瞭にするために、１番（＃１）から９番（＃９）までの奇数番手のシャフトについて示してあるが、偶数番手のシャフトについても、それぞれ隣接するシャフト間に位置することは明らかである。
【００２２】
図２は、シャフト１２の先端の位置Ｓ０から略２００ｍｍの位置Ｓ１までの範囲を先端領域Ｆとし、この先端領域Ｆの終端である位置Ｓ１から略７３０ｍｍの位置Ｓ２までの範囲を中間領域Ｍとし、この中間領域Ｍの終端である位置Ｓ２から後方を後部領域Ｒとしてある。このように領域を分けたのは、例えば先端部の外径が直径８．０〜１０．０ｍｍの範囲で、後端の外径（最大外径）が直径１５．０〜１７．０ｍｍの範囲のときに、先端部の略３０〜５０ｍｍをクラブヘッド１４のホーゼル１６内に挿入したシャフト１２の打球時にシャフト１２の動きに違いが生じるからである。先端領域Ｆが終端する位置Ｓ１は、ホーゼル１６内への挿入長さの相違を考慮して、各番手のシャフト間で、好ましくは±５ｍｍで±２０ｍｍの範囲内でばらつきを生じてもよい。
【００２３】
いずれの場合も、先端領域Ｆは、ヘッド取付領域ｈの２倍以上で５倍内に設定することが好ましく、このような範囲に設定することで、打球時に先端領域Ｆを確実に撓らせることができ、打球の飛距離を向上させることができる。
【００２４】
図２に示すように、シャフトセットを形成する各番手のシャフト１２は、先端領域Ｆで曲げ剛性値が同様に変化しており、位置Ｓ０から後方に向けて先端領域Ｆが終端する位置Ｓ１まで次第に低下する。この曲げ剛性値の変化は、各番手のシャフト毎に同様な比率で変化することが好ましく、番手間のばらつきは、好ましくは２〜３％の範囲で５から１０％の範囲であれば打球時のフィーリングに与える影響を小さくし、番手毎で同様な打球感覚を得ることができる。
【００２５】
中間領域Ｍ内では、各シャフト１２の曲げ剛性が位置Ｓ１から後方に向けて滑らかに低下し、位置Ｓ３を超えた後、中間領域Ｍの終端である位置Ｓ２まで滑らかに増大する。したがって、位置Ｓ３は、曲げ剛性値が最も小さい最小曲げ剛性部を形成する。この最小曲げ剛性部を形成する位置Ｓ３は、中間領域Ｍ内の中央位置よりも先端側で、位置Ｓ１から１００〜２００ｍｍの範囲に配置することが好ましい。なお、曲げ剛性が滑らかに低下又は増大するとは、直線状に変化することに限らず、曲線状に変化する場合も含む。
【００２６】
シャフトセットを形成する各シャフト１２のそれぞれの領域の曲げ剛性の大きさすなわちＥＩ値は、先端領域で３０〜４５Ｎ/ｍ２  、最小曲げ剛性部で２０〜３５Ｎ/ｍ２  、後端領域で６０から１２０Ｎ/ｍ２  の範囲に形成することが好ましい。
【００２７】
このような最小曲げ剛性部を形成する位置Ｓ３は、各番手のシャフト１２のいずれも先端から等しい位置に配置することが好ましいが、各番手における曲げ剛性の相違やヘッド取付領域の長さの相違を考慮して±２０ｍｍの範囲で、±５ｍｍの範囲内に配置することが好ましい。
【００２８】
いずれの場合も、最小曲げ剛性部Ｓ３から先端に向けて曲げ剛性値が増大しているため、インパクト時にクラブヘッドの姿勢制御がし易く、したがってぶれ難くすることができる。
【００２９】
更に、この中間領域Ｍ内では、各番手のシャフト１２毎に曲げ剛性及びその変化率が相違しており、位置Ｓ１から最小曲げ剛性部である位置Ｓ３までの曲げ剛性の変化は、低番手のシャフトほど大きく、位置Ｓ３から中間領域Ｍの終端である位置Ｓ２までの曲げ剛性の変化は高番手のシャフト１２ほど大きく形成してある。このため、位置Ｓ３では、番手間のそれぞれのシャフト１２の曲げ剛性が２〜５％程度大きくなり、中間領域Ｍの終端である位置Ｓ２では、３〜８％程度と大きくなる。
【００３０】
いずれの場合も、番手毎の曲げ剛性の変化は、ロングクラブの群、ミドルクラブの群、及び、ショートクラブの群のそれぞれで、番手毎に等間隔に変化することが好ましい。これにより、各郡のクラブ毎に要求されるそれぞれの機能が得られ、それぞれの郡内のクラブにより良好なフィーリングが得られる。
【００３１】
また、シャフトセットにおけるシャフト１２の中間領域の曲げ剛性値は、最も番手の小さい１番のクラブ用シャフトの最小曲げ剛性部である位置Ｓ３から先端の位置Ｓ０まで曲げ剛性値を滑らかに変化させて形成し、この１番のシャフト１２の位置Ｓ３から先端の位置Ｓ０までの曲げ剛性の変化を基準として、順に、これよりも番手の大きなシャフト１２の曲げ剛性値を大きく形成することが好ましい。
【００３２】
これにより、番手が大きいクラブのシャフトの先端領域Ｆの曲げ剛性を番手が小さいクラブの先端領域の曲げ剛性と一致させることで、打球が上がり易く、打球の飛距離の向上を図ることができる。
【００３３】
また、番手が大きくなるにしたがって、曲げ剛性最小部Ｓ３も上昇しているため、シャフト１２にしっかり感を持たせて操作し易くすることができる。
【００３４】
更に、後端領域Ｒでは、中間領域Ｍの終端である位置Ｓ２から８０〜１５０ｍｍの範囲で好ましくは略１００ｍｍ後方に離隔した位置Ｓ４まで、曲げ剛性の変化が小さい調整領域Ｒ１と、位置Ｓ４を超えた後、後端まで曲げ剛性が滑らかに増大する末端領域Ｒ２とを配置してある。末端領域Ｒ２は、握り易くさせるために外径を滑らかに増大させてグリップ性を向上させ、調整領域Ｒ１は、中間領域Ｍと末端領域Ｒ２との間で、外径が急激に変化するのを防止する。そして、グリップ１８は、各シャフト１２の終端から、図２に鎖線Ｇで示す領域まで配置され、外径が変化する部分がグリップ１８で隠蔽される。これにより、グリップ１８の先端側では、ほぼ滑らかなテーパ状のシャフト１２が露出し、クラブ１０を構えたときに違和感を生じるのを防止することができる。
【００３５】
表１及び表２は、このように形成した１番から１０番のクラブ１０を形成するためのシャフトセットの２つの実施例を示す。これらの表における曲げ剛性値は、シャフト１２を水平に配置した状態で下側から２点で支え、その中間点に上側から圧接部材を押圧する３点曲げにより行う通常の試験機により行ったものである。シャフト１２を支える２つの支点は、３００ｍｍ離隔させ、圧接部材を降下させてシャフト１２を２ｍｍ程度撓ませるのに必要な力を測定することで行ったものである。測定点は、６０ｍｍ程度の間隔で行った。
【表１】
0005439259.tif 000002
【００３６】
【表２】
0005439259.tif 000003
【００３７】
このようにシャフト１２のセットは、各シャフト１２の最小曲げ剛性部をクラブヘッド１４から例えば２００〜４００ｍｍ離隔した位置に配置することにより、クラブヘッド１４に近接する領域の曲げ剛性を低下させることなく、各番手毎のシャフト１２の特に先端領域Ｆにおける撓り特性を互いに近似させることができる。このため、スイングに際して、中間領域Ｍでスイングコントロールしても、番手の異なるクラブ１０のクラブヘッド１４の挙動が互いに近似し、同じセット内にあるクラブ１０の各番手に要求される飛距離、方向性等の機能を満たすと共に、番手毎に近似した良好な打球フィーリングを得ることができる。
【００３８】
特に、シャフトはスイング動作におけるトップ位置からインパクト位置にかけて、シャフトの元すなわち後端側から先すなわち先端側に徐々に撓りが移行していく。そして、先が撓るタイミングは、インパクトの直前のため、人の感覚で制御することは困難であり、このように、シャフトの先側の曲げ剛性に関する剛性バランスを一定にしておくことが極めて重要でかつ有益である。
【００３９】
図３は、このようなシャフト１２を形成するプリプレグの配置例を芯金２０と共に示す。
【００４０】
本実施形態の芯金２０は、シャフト１２の全長よりも長く、例えば約１４００〜１６００ｍｍの全長を有し、繊維強化プリプレグを巻回する外周領域に、シャフト１２の先端領域Ｆを形成するための前部テーパ部２２と、シャフト１２の後端領域Ｒを形成するための後部テーパ部２４と、シャフト１２の中間領域Ｍを形成するための中間テーパ部２６とを有する。この芯金２０の後端には、この芯金２０を操作するための操作部２８を配置してある。
【００４１】
前部テーパ部２２は、先端の外径を約２．５〜４．０ｍｍ程度の大きさに形成し、後方に向けて、後述する補強プリプレグ３０の前部領域３０ａに対応する部位で７．０／１０００〜８．０／１０００、後部領域３０ｂに対応する部位で２５．０／１０００〜３５．０／１０００程度の勾配を形成する。また、シャフト１２の中間領域Ｍから後部領域Ｒに対応する部位の勾配を８．０／１０００〜１０．０／１０００程度に形成し、末端の外径が１４．０〜１５．０ｍｍ程度に形成される。
【００４２】
そして、中間テーパ部２６は、８．０／１０００〜１０．０／１０００程度の勾配で形成される。
【００４３】
本実施形態では、強化繊維が芯金２０の軸芯に対して傾斜方向に配置された斜向繊維層と、強化繊維が芯金２０の軸芯に沿う軸長方向に配置された軸方向繊維層と、強化繊維が芯金２０の周方向に配置された周方向繊維層とを有する本体層を全長にわたって形成し、前部テーパ部２２に巻回する補強用プリプレグ３０，３２により、最小曲げ剛性位置Ｓ３の位置を調整すると共に、先端領域Ｆの曲げ調整値を調整している。
【００４４】
本体層は、斜向繊維層によりねじれ剛性を所要範囲に調整し、軸方向繊維層により曲げ剛性を調整し、周方向繊維層により、シャフト１２のつぶれに対する剛性を調整することができる。
【００４５】
本実施形態の斜向繊維層は、内周側に、芯金２０の軸芯に対して強化繊維を＋３５度から＋５５度の範囲の傾斜方向に配向させた第１プリプレグ３４と、強化繊維を−３５から−５５度の範囲の傾斜方向に配向させた第２プリプレグ３６とを互いに重ね合わせて芯金２０に巻回して形成され、このバイアス層の外周側に、順に軸方向繊維層と周方向繊維層と軸方向繊維層とを重ねた状態で形成してある。
【００４６】
また、内周側の軸方向繊維層は強化繊維を芯金２０の軸方向に配置した軸方向プリプレグ３８で形成され、周方向繊維層は、強化繊維を芯金２０の周方向に配置した周方向プリプレグ４０で形成され、外周側の軸方向繊維層は強化繊維を軸方向に配置した軸方向プリプレグ４２で形成してある。
【００４７】
この本体層を形成するプリプレグ３４−４２の芯金２０に対する巻回数は、先端側と後端側とで同じにすることが可能であるが、その巻回数を変化させることで、軸方向に沿って曲げ剛性を変化させることができる。
【００４８】
本実施形態では、本体層の内周側に配置した補強用プリプレグ３０は、シャフト１２の先端位置Ｓ０と先端領域Ｆの終端である位置Ｓ１との間で巻回される台形状の前部領域３０ａと、位置Ｓ１と位置Ｓ３（最小曲げ剛性部）との間で巻回される三角形状の後部領域３０ｂとを有し、この後部領域３０ｂが後方に向けて幅すなわち周方向長さが減少することにより、後方に向けて曲げ剛性を減少させている。また、外周側に配置される補強用プリプレグ３２は、位置Ｓ０とＳ１との間で巻回される三角形状に形成され、後方に向けて幅が減少する。これにより、シャフト１２の先端領域Ｆの曲げ剛性を先端側に向けて大きく形成している。
【００４９】
各番手毎の曲げ剛性の差は、強化繊維と樹脂量との比率を調整し、プリプレグの厚さ又は巻回数を調整することで所要の範囲に設定することができる。
【００５０】
本体層を形成するプリプレグ３４−４２は、弾性率が２０〜４０ｔｏｎ／ｍｍ２  程度の強化繊維にエポキシ樹脂等の熱硬化性樹脂を２０〜３０％程度含浸させ、０．０５〜０．１５ｍｍ程度の厚さを有するものを用いることが好ましい。また、補強用プリプレグ３０，３２は、シャフト折れ防止のために、強化繊維として、カーボン繊維のみや、カーボン繊維とその他の材質の繊維からなる強化繊維を用い、含浸する樹脂は、エポキシ樹脂等の熱硬化性樹脂を２０〜３０％程度含浸させたものが好ましい。
【００５１】
なお、最小曲げ剛性部は、上述のようにプリプレグの巻回数、補強用プリプレグ３０，３２の寸法、及び、その種類によってその位置大きさを変更するだけでなく、芯金２０の外面に形成するテーパ面の勾配の変化によっても調整することができる。
【００５２】
上述の実施形態は、種々に変更することが可能であり、例えば図３に示す本体層を形成するプリプレグ３４−４２の積層順を変更してもよく、補強層３０，３２の少なくとも一方を、本体層を形成するプリプレグ間に配置することも可能である。
【００５３】
更に、アイアンクラブ用のシャフトに限らず、ウッドタイプのクラブやフェアーウェイウッド等種々のクラブ用のシャフトにも適用することができる。
以下に、本願出願の当初の特許請求の範囲に記載された発明を付記する。
［１］  クラブヘッドが取付けられる先端領域と、グリップが取付けられる後端領域と、先端領域と後端領域の間の中間領域とをそれぞれが有し、番手が大きくなるに従って長さが順次短くなるゴルフクラブセットに用いるゴルフクラブ用シャフトセットであって、各シャフトの中間領域に曲げ剛性値が最小となる最小曲げ剛性部を配置し、この最小曲げ剛性部から先端及び後端に向かって曲げ剛性を大きく形成し、各シャフトの先端領域の長さ及び曲げ剛性値をシャフトセット内で等しく、かつ、番手が大きくなるに従って中間領域の曲げ剛性値を大きく形成したことを特徴とするゴルフクラブ用シャフトセット。
［２］  前記先端領域の長さが、クラブヘッドを取付けるヘッド取付け領域の長さの２倍以上である［１］に記載のゴルフクラブ用シャフトセット。
［３］  セット内のクラブを、ロングクラブとミドルクラブとショートクラブとの群に区分したときに、各郡のクラブのシャフトの中間領域における各位置の曲げ剛性値を番手が大きくなるに従って等間隔で大きく形成した［１］又は［２］に記載のゴルフクラブ用シャフトセット。
［４］  最も番手の小さいクラブのシャフトの最小曲げ剛性部から先端まで曲げ剛性値を滑らかに変化させて形成し、このシャフトの最小曲げ剛性部から先端までの曲げ剛性の変化を基準として、番手の大きいクラブのシャフトの中間領域の曲げ剛性値を大きく形成した［１］から［３］のいずれか１つに記載のゴルフクラブ用シャフトセット。
【符号の説明】
【００５４】
１０…クラブ、１２…シャフト、１４…クラブヘッド、１８…グリップ、Ｆ…先端領域、Ｍ…中間領域、Ｒ…後端領域、Ｓ３…最小曲げ剛性部。
【図１】
0005439259.tif 000004
【図２】
0005439259.tif 000005
【図３】
0005439259.tif 000006